(57)【要約】【課題】分岐・分配器を強固に固定することを可能とする同軸ブランチにおける分岐・分配器の固定構造を提供する。【解決手段】吊り下げ方向に伸びる支持線２２と、この支持線２２と同方向に伸びる同軸ケーブル２３と、同軸ケーブル２３が接続される分岐・分配器２４と、この分岐・分配器２４の支持線２２への固定に用いられる固定具２５とを備え、更に固定具２５の上下に位置して支持線２２に対し固着する第二固定具としての圧縮コネクタ２６を備えて構成する。【選択図】図１
2007143268.tif 000002
【特許請求の範囲】
【請求項１】
吊り下げ方向に伸びる支持線と、該支持線と同方向に伸びる同軸ケーブルと、該同軸ケーブルが接続される分岐・分配器と、該分岐・分配器の前記支持線への固定に用いられる固定具とを備え、更に該固定具の上下に位置し、単独若しくは前記固定具の一部を含めて前記支持線に対し固着する第二固定具を備える
ことを特徴とする同軸ブランチにおける分岐・分配器の固定構造。
【請求項２】
請求項１に記載の同軸ブランチにおける分岐・分配器の固定構造において、
前記第二固定具をケーブル分岐接続用の圧縮コネクタとする
ことを特徴とする同軸ブランチにおける分岐・分配器の固定構造。
【発明の詳細な説明】
【技術分野】
【０００１】
本発明は、支持線と同軸ケーブルと分岐・分配器と固定具とを備えて布設時に吊り下げられる同軸ブランチに関し、詳しくは、同軸ブランチにおける分岐・分配器の固定構造に関する。
【背景技術】
【０００２】
図３において、下記特許文献１に開示される同軸ブランチ１は、支持線２と、複数の同軸ケーブル３と、分岐・分配器４と、固定具５とを備えて構成されている。同軸ブランチ１は、支持線２の先端に吊り下げ部（図示省略）を有しており、布設時において、支持線２の吊り下げ部を介して建物内部に吊り下げられるようになっている。
【０００３】
分岐・分配器４は、このケース６の上下に同軸ケーブル３に対しての接続用の同軸コネクタ７を複数有している。また、分岐・分配器４は、ケース６の背面にネジ止め部８を複数有している。固定具５は、ケース６の背面に面接触するプレート部９と、支持線２に対するガイド溝１０とを有している。プレート部９は、ネジ止め部８に対応する位置に同様のネジ止め部（符号省略）を複数有している。
【０００４】
同軸ブランチ１は、支持線２を分岐・分配器４と固定具５とで挟み込み、そして、これら分岐・分配器４と固定具５とをネジ１１で固定することによって、分岐・分配器４を支持線２の所定の位置に固定できるような構造になっている。支持線２は、ガイド溝１０に収納される格好で、分岐・分配器４と固定具５との間に挟み込まれるようになっている。
【特許文献１】特開２０００−３５０３４１号公報  （第２頁、第１図）
【発明の開示】
【発明が解決しようとする課題】
【０００５】
ところで、分岐・分配器４の支持線２に対する固定部分には、同軸ケーブル３と分岐・分配器４との自重による鉛直方向の荷重や、布設時の作業者によるケーブル引っ張りの際の荷重などが掛かってしまうようになっている。同軸ブランチ１は、ネジ１１の締め付けのみで固定がなされる構造であることから、ネジ１１の締め付け時におけるトルク不足や、固定後のネジ１１の緩み発生や、支持線２とガイド溝１０とのサイズ不一致などがあると、分岐・分配器４が所定位置からズレてしまうという恐れを有している。
【０００６】
仮に、分岐・分配器４に上記のようなズレが発生してしまう場合には、同軸ケーブル３や同軸コネクタ７に対して不必要な荷重が掛かってしまい、同軸ブランチ１の伝送特性に影響を来してしまうという問題点を有している。
【０００７】
本発明は、上述した事情に鑑みてなされたもので、分岐・分配器を強固に固定することを可能とする同軸ブランチにおける分岐・分配器の固定構造を提供することを課題とする。
【課題を解決するための手段】
【０００８】
上記課題を解決するためになされた請求項１記載の本発明は、吊り下げ方向に伸びる支持線と、該支持線と同方向に伸びる同軸ケーブルと、該同軸ケーブルが接続される分岐・分配器と、該分岐・分配器の前記支持線への固定に用いられる固定具とを備え、更に該固定具の上下に位置し、単独若しくは前記固定具の一部を含めて前記支持線に対し固着する第二固定具を備えることを特徴としている。
【０００９】
このような特徴を有する本発明によれば、同軸ケーブルと分岐・分配器との自重による鉛直方向の荷重や、布設時の作業者によるケーブル引っ張りの際の荷重などが掛かると、固定具に取り付けられた分岐・分配器は、支持線に固定された第二固定具の存在によって、そのズレの発生が抑えられる。又は、固定具の一部を含めて支持線に固定された第二固定具の存在によって、固定具に取り付けられた分岐・分配器は、そのズレの発生が抑えられる。
【００１０】
また、請求項２記載の本発明は、請求項１に記載の同軸ブランチにおける分岐・分配器の固定構造において、前記第二固定具をケーブル分岐接続用の圧縮コネクタとすることを特徴としている。
【００１１】
このような特徴を有する本発明によれば、支持線における分岐・分配器の固定予定位置の上下に第二固定具としての圧縮コネクタをセットし、このセットした圧縮コネクタを圧縮ダイスで加締めると、圧縮コネクタは支持線に対して固着される。圧縮コネクタは、一般にケーブルの分岐接続等に用いられるもので、Ｔ型コネクタ、Ｃ型コネクタ等とも呼ばれている。本発明は、このような圧縮コネクタを同軸ブランチに流用する。分岐・分配器は、第二固定具としての圧縮コネクタの存在によりズレ発生が抑えられる。
【発明の効果】
【００１２】
請求項１に記載された本発明によれば、第二固定具を更に備えることにより、分岐・分配器を従来よりも強固に固定することができるという効果を奏する。また、請求項２に記載された本発明によれば、既知の圧縮コネクタを用いることにより、安価に分岐・分配器のズレ発生を抑えることができるという効果を奏する。
【発明を実施するための最良の形態】
【００１３】
以下、図面を参照しながら説明する。図１は本発明の同軸ブランチにおける分岐・分配器の固定構造の一実施の形態を示す図であり、（ａ）は固定前の状態となる分解斜視図、（ｂ）は固定後の状態となる斜視図である。
【００１４】
図１において、引用符号２１で示す同軸ブランチは、支持線２２と、複数の同軸ケーブル２３と、分岐・分配器２４と、固定具２５と、第二固定具としての一対の圧縮コネクタ２６とを備えて構成されている。同軸ブランチ２１は、布設時において、建物内部に吊り下げられる構造になっており、分岐・分配器２４が支持線２２に対して従来よりも強固に固定される点が特徴になっている。先ず、各構成部材について簡単に説明する。
【００１５】
支持線２２は、同軸ブランチ２１の吊り下げ支持の他に、同軸ケーブル２３や分岐・分配器２４、さらには後述する同軸コネクタ２７、３２に対して張力が掛からないようにするための部材として備えられている。支持線２２は、一般的に使用される鋼線がここでは適用されている。支持線２２の先端には、特に図示しないが、例えば環状の吊り下げ部が形成されている。吊り下げ部は、建物内部に設けられるフック等に引っ掛けられるようになっている。支持線２２は、吊り下げられた状態で鉛直方向に長く伸びるように形成されている。
【００１６】
同軸ケーブル２３は、支持線２２と同方向に伸びるように備えられている。本形態においては、分岐・分配器２４を挟んで上下二本の同軸ケーブル２３が支持線２２と略平行となるように配置されている。同軸ケーブル２３は、既知のものが用いられている。同軸ケーブル２３は、分岐・分配器２４との接続部分にケーブル側の同軸コネクタ２７を有している。
【００１７】
分岐・分配器２４は、特に限定するものではないが、例えばアンテナメーカーから一般的に販売されているものがここでは用いられている。この市販品の分岐・分配器２４は、通常、木ネジで木板等に固定して布設するものであり、支持線２２へ固定するための構造は有してないものとなっている。分岐・分配器２４のケース２８には、取り付けネジ（木ネジの代わりとなるもの）２９に対する取付部３０及び取付穴部３１が左右の側部に形成されている。また、ケース２８には、複数の同軸コネクタ３２が上下の側部に設けられている。同軸コネクタ３２は、同軸ケーブル２３の接続部分として設けられている。ケース２８の背面は、平坦な面に形成されている。
【００１８】
固定具２５は、分岐・分配器２４のケース２８の背面に面接触するプレート部３３と、支持線２２に対するガイド溝３４とを有している。プレート部３３は、ケース２８の背面形状に合わせて形成されている。プレート部３３は、分岐・分配器２４の取付穴部３１に対応する位置に同様の取付穴部３５を有している。ガイド溝３４は、支持線２２のサイズに合わせて凹ませる形状であるとともに、布設時に鉛直方向に真っ直ぐ伸びるような形状に形成されている。ガイド溝３４の内面には、滑り止め加工が施されている（一例であるものとする）。
【００１９】
第二固定具としての一対の圧縮コネクタ２６は、一般にケーブルの分岐接続等に用いられるもので、Ｔ型コネクタ、Ｃ型コネクタ等とも呼ばれている。本形態においては、このような既知の圧縮コネクタ２６を流用するものとする。圧縮コネクタ２６は、圧縮ダイス（図示省略）を用いて加締められるようになっている。圧縮コネクタ２６は、加締めによって支持線２２に対し固着するようになっている。圧縮コネクタ２６の固着位置は、固定具２５の上下に位置するように設定されている。
【００２０】
次に、上記構成に基づきながら同軸ブランチ２１の布設及び作用について説明する。
【００２１】
支持線２２を建物内部の所定位置に吊り下げるとともに、同軸コネクタ２７、３２を介して同軸ケーブル２３と分岐・分配器２４とを接続する。一方、一対の圧縮コネクタ２６を分岐・分配器２４の固定予定位置の上下にセットし、このセットした一対の圧縮コネクタ２６をそれぞれ圧縮ダイスで加締めて支持線２２に固着する。この後、固着した一対の圧縮コネクタ２６の間となる支持線２２を固定具２５のガイド溝３４に収納し、固定具２５のプレート部３３に分岐・分配器２４の背面を面接触させて、支持線２２を固定具２５と分岐・分配器２４との間に挟み込む。そして、取付穴部３１、３５に取り付けネジ２９を所定トルクで締め付ければ、分岐・分配器２４の支持線２２に対する固定が完了する。尚、他の分岐・分配器２４がある場合には上記作業を繰り返し、他の分岐・分配器２４の固定も完了すれば、建物内部に同軸ブランチ２１を布設する作業が完了する。
【００２２】
同軸ブランチ２１は、同軸ケーブル２３と分岐・分配器２４との自重による鉛直方向の荷重や、布設時の作業者によるケーブル引っ張りの際の荷重などが掛かった場合に、最悪、支持線２２に固着した圧縮コネクタ２６に固定具２５のガイド溝３４の端部が引っ掛かる構造になっている。従って、分岐・分配器２４のズレが阻止されるようになっている。
【００２３】
続いて、図２を参照しながら本発明の同軸ブランチにおける分岐・分配器の固定構造の他の一実施の形態を説明する。図２は他の一実施の形態を示す図であり、（ａ）は固定前の状態となる分解斜視図、（ｂ）は固定後の状態となる斜視図である。
【００２４】
図２において、同軸ブランチ２１は、支持線２２と、複数の同軸ケーブル２３と、分岐・分配器２４と、固定具２５′と、第二固定具としての一対の圧縮コネクタ２６とを備えて構成されている。この形態では、図１の同軸ブランチ２１に対して固定具２５′のみが構成上異なっている。
【００２５】
固定具２５′は、分岐・分配器２４のケース２８の背面に面接触するプレート部３６と、支持線２２に添わせて使用する一対の圧着部３７とを有している。プレート部３６は、ケース２８の背面形状に合わせて形成されている。プレート部３６は、分岐・分配器２４の取付穴部３１に対応する位置に同様の取付穴部３８を有している。一対の圧着部３７は、プレート部３６の上下から突出するような突条の部分として形成されている。一対の圧着部３７は、プレート部３６と同一平面に形成されている。一対の圧着部３７は、この幅が支持線２２の径に合わせて設定されている。また、長さは圧縮コネクタ２６のサイズに合わせて設定されている。
【００２６】
図２の同軸ブランチ２１の布設としては、支持線２２を建物内部の所定位置に吊り下げるとともに、同軸コネクタ２７、３２を介して同軸ケーブル２３と分岐・分配器２４とを接続する。一方、固定具２５′を支持線２２における分岐・分配器２４の固定予定位置にセットし、このセットした固定具２５′の各圧着部３７と支持線２２とを各圧縮コネクタ２６で一括して加締めて固着する。この後、固着した固定具２５′のプレート部３６に分岐・分配器２４の背面を面接触させ、そして、取付穴部３１、３８に取り付けネジ２９を所定トルクで締め付ければ、分岐・分配器２４の支持線２２に対する固定が完了する。尚、他の分岐・分配器２４がある場合には上記作業を繰り返し、他の分岐・分配器２４の固定も完了すれば、建物内部に同軸ブランチ２１を布設する作業が完了する。
【００２７】
図２の同軸ブランチ２１は、圧縮コネクタ２６が固定具２５′の圧着部３７を含めて支持線２２に固着する構造であることから、同軸ケーブル２３と分岐・分配器２４との自重による鉛直方向の荷重や、布設時の作業者によるケーブル引っ張りの際の荷重などが掛かった場合であっても、固定具２５′は不動であり、結果、分岐・分配器２４のズレが阻止されるようになっている。
【００２８】
以上、図１及び図２を参照しながら説明してきたように、本発明によれば、第二固定具としての圧縮コネクタ２６を備えることにより、分岐・分配器２４を従来よりも強固に固定することができる。従って、同軸ブランチ２１における伝送特性を良好に維持することができる。また、本発明によれば、既知の圧縮コネクタ２６を用いることにより、安価に分岐・分配器２４のズレ発生を抑えることができる。尚、安価の点に関して、上述の説明では既知の分岐・分配器２４を用いることから、この点でも効果に寄与することになる。さらに、本発明によれば、固定具２５、２５′のいずれかを用いることで、例えば仕様変更等に柔軟に対応することができる。
【００２９】
その他、本発明は本発明の主旨を変えない範囲で種々変更実施可能なことは勿論である。
【図面の簡単な説明】
【００３０】
【図１】本発明の同軸ブランチにおける分岐・分配器の固定構造の一実施の形態を示す図であり、（ａ）は固定前の状態となる分解斜視図、（ｂ）は固定後の状態となる斜視図である。
【図２】本発明の同軸ブランチにおける分岐・分配器の固定構造の他の一実施の形態を示す図であり、（ａ）は固定前の状態となる分解斜視図、（ｂ）は固定後の状態となる斜視図である。
【図３】従来例の同軸ブランチにおける分岐・分配器の固定構造を示す斜視図である。
【符号の説明】
【００３１】
２１  同軸ブランチ
２２  支持線
２３  同軸ケーブル
２４  分岐・分配器
２５、２５′  固定具
２６  圧縮コネクタ（第二固定具）
２７、３２  同軸コネクタ
２８  ケース
２９  取り付けネジ
３０  取付部
３１、３５、３８  取付穴部
３３、３６  プレート部
３４  ガイド溝
３７  圧着部（一部）
【図１】
2007143268.tif 000003
【図２】
2007143268.tif 000004
【図３】
2007143268.tif 000005